(57)【要約】【課題】特定のファイルが記録されたメディアの所在をより容易に把握することができるデータアーカイブシステムを提供する。【解決手段】本発明のデータアーカイブシステムは、クライアント端末３と、クライアント端末３とネットワーク５を介して接続されているＮＡＳ装置１２とを備える。ＮＡＳ装置１２は、サーバ部２と記憶装置１とを備える。記憶装置１は、メディア９に対してファイルの記録を行うドライブ７を備える。サーバ部２は、ドライブ７によってメディア９に記録されたファイルのファイル名と、メディア９の所在情報とを互いに関連付けて記憶する。クライアント端末３は、特定のファイルの読み出しを行うための動作が開始されたとき、ネットワーク５を介してサーバ部２から特定ファイルのファイル名に関連付けられたメディア９の所在情報を取得し、当該所在情報に応じて異なるアイコンを表示する。【選択図】図１
2014142921.tif 000002
【特許請求の範囲】
【請求項１】
クライアント端末と、当該クライアント端末とネットワークを介して接続されるＮＡＳ装置とを備えたデータアーカイブシステムであって、
前記ＮＡＳ装置は、サーバ部と、記憶装置とを備え、
前記記憶装置は、メディアに対してファイルの記録を行うドライブを備え、
前記サーバ部は、前記ドライブによって前記メディアに記録されたファイルのファイル名と、前記メディアの所在情報とを互いに関連付けて記憶し、
前記クライアント端末は、特定のファイルの読み出しを行うための動作が開始されたとき、前記ネットワークを介して前記サーバ部から前記特定のファイルのファイル名に関連付けられたメディアの所在情報を取得し、当該所在情報に応じて異なるアイコンを表示する、データアーカイブシステム。
【請求項２】
前記アイコンは、前記ファイルを格納するフォルダのアイコンに付随して表示される、請求項１に記載のデータアーカイブシステム。
【請求項３】
前記所在情報が前記メディアが前記記憶装置の内部に存在することを示す情報であるときに表示されるアイコンと、前記所在情報が前記メディアが前記記憶装置の外部に存在することを示す情報であるときに表示されるアイコンとが、それぞれ異なる、請求項１又は２に記載のデータアーカイブシステム。
【請求項４】
前記記憶装置は、前記メディアを格納する格納部を備え、
前記所在情報が前記メディアが前記ドライブ内に存在することを示す情報であるときに表示されるアイコンと、前記所在情報が前記メディアが前記格納部に存在することを示す情報であるときに表示されるアイコンと、前記所在情報が前記メディアが前記記憶装置の外部に存在することを示す情報であるときに表示されるアイコンとが、それぞれ異なる、請求項１又は２に記載のデータアーカイブシステム。
【請求項５】
前記クライアント端末は、前記サーバ部から取得した前記所在情報に応じたアイコンと、当該所在情報に基づく読み出し所要時間に応じたアイコンとを組み合わせて表示する、請求項１〜４のいずれか１つに記載のデータアーカイブシステム。
【請求項６】
前記クライアント端末は、前記所在情報が前記メディアが前記記憶装置の外部に存在することを示す情報であるときに表示されるアイコンが選択されたとき、前記メディアを前記記憶装置の内部に装填するように依頼するための問合せ画面を表示する、請求項１〜５のいずれか１つに記載のデータアーカイブシステム。
【発明の詳細な説明】
【技術分野】
【０００１】
本開示は、大量のファイルを取り扱うデータアーカイブシステムに関する。
【背景技術】
【０００２】
従来、複数のハードディスクを一つの大容量ストレージとしてファイルベースでデータを扱うデータアーカイブシステムが普及している。このデータアーカイブシステムは、クライアント端末と、当該クライアント端末とネットワークを介して接続されるＮＡＳ（Ｎｅｔｗｏｒｋ  Ａｔｔａｃｈｅｄ  Ｓｔｏｒａｇｅ）装置とを備えている。ＮＡＳ装置は、ハードディスク、ネットワークインターフェース、ＯＳ（Ｏｐｅｒａｔｉｎｇ  Ｓｙｓｔｅｍ）、管理用ユーティリティなどを一体化した単機能サーバである。
【０００３】
従来のデータアーカイブシステムとしては、例えば、特許文献１（特開２０１１−２０４３１１号公報）に示すものが知られている。特許文献１には、データユニットを大容量のストレージとして使用するデータアーカイブシステムが開示されている。特許文献１のデータユニットは、光ディスク（以下、メディアという）を収納するトレイを複数収納するマガジンと、複数のドライブとを備えている。特許文献１のデータユニットは、マガジンから任意のトレイを引き出し、当該引き出されたトレイに収納されたメディアを、任意のドライブのトレイに載置するように構成されている。
【先行技術文献】
【特許文献】
【０００４】
【特許文献１】特開２０１１−２０４３１１号公報
【発明の概要】
【発明が解決しようとする課題】
【０００５】
従来のデータユニットをより一層大容量化するには、データユニット内のマガジンの数を増加させればよいと考えられる。しかしながら、データユニット内のスペースには限界がある。そこで、例えば、データユニット内のマガジンを、データユニットの外部のマガジン管理棚に収納されたマガジンと交換可能とする構成が考えられる。この構成によれば、データユニット内のマガジンの数を増やすことなく、実質的にデータユニットの更なる大容量化を実現することができる。
【０００６】
しかしながら、この構成では、マガジン管理棚はネットワークに接続されないので、クライアント端末が、当該マガジン管理棚内のメディアにアクセスすることができない。したがって、当該メディアにアクセスするためには、当該メディアを収納するマガジンをマガジン管理棚から取り出し、データユニット内に装填する必要がある。
【０００７】
また、クライアント端末とデータユニットとマガジン管理棚とは互いに近くに配置されるとは限らず、クライアント端末を操作するユーザがマガジンの交換を行うことが困難なほど、それらが離れて配置されることも想定される。この場合、特定のファイルを読み出すには、相当な時間を要することになる。したがって、前記構成を有するデータアーカイブシステムのユーザにとって、特定のファイルが記録されたメディアの所在を把握することは、非常に重要なことである。このため、特定のファイルが記録されたメディアの所在をより容易に把握することができれば、ユーザに取って非常に有益であると考えられる。
【０００８】
従って、本開示は、特定のファイルが記録されたメディアの所在をより容易に把握することができるデータアーカイブシステムを提供する。
【課題を解決するための手段】
【０００９】
前記目的を達成するために、本開示にかかるデータアーカイブシステムは、クライアント端末と、当該クライアント端末とネットワークを介して接続されるＮＡＳ装置とを備えたデータアーカイブシステムであって、
前記ＮＡＳ装置は、サーバ部と、記憶装置とを備え、
前記記憶装置は、メディアに対してファイルの記録を行うドライブを備え、
前記サーバ部は、前記ドライブによって前記メディアに記録されたファイルのファイル名と、前記メディアの所在情報とを互いに関連付けて記憶し、
前記クライアント端末は、特定のファイルの読み出しを行うための動作が開始されたとき、前記ネットワークを介して前記サーバ部から前記特定のファイルのファイル名に関連付けられたメディアの所在情報を取得し、当該所在情報に応じて異なるアイコンを表示するように構成されている。
【発明の効果】
【００１０】
本開示にかかるデータアーカイブシステムによれば、クライアント端末がメディアの所在情報に応じて異なるアイコンを表示するようにしているので、視認性が良く、特定のファイルが記録されたメディアの所在をより容易に把握することができる。
【図面の簡単な説明】
【００１１】
【図１】本開示の実施形態にかかるデータアーカイブシステムの概略構成図
【図２Ａ】図１のデータアーカイブシステムに用いられるデータユニットの概略構成を示す斜視図
【図２Ｂ】図２Ａのデータユニットが備えるマガジンと複数枚のメディアの斜視図
【図３】サーバ部のデータベースに記録される情報の一例を示した図
【図４】ファイル読み出し動作を行う際にクライアント端末の表示部に表示される画面の一例を示す図
【図５】メディア装填依頼の問合せ画面の一例を示す図
【図６】ファイル読み出し動作を示すフローチャート
【図７】ファイル読み出し動作を行う際にクライアント端末の表示部に表示される画面の他の例を示す図
【発明を実施するための形態】
【００１２】
本開示の第１態様によれば、クライアント端末と、当該クライアント端末とネットワークを介して接続されるＮＡＳ装置とを備えたデータアーカイブシステムであって、
前記ＮＡＳ装置は、サーバ部と、記憶装置とを備え、
前記記憶装置は、メディアに対してファイルの記録を行うドライブを備え、
前記サーバ部は、前記ドライブによって前記メディアに記録されたファイルのファイル名と、前記メディアの所在情報とを互いに関連付けて記憶し、
前記クライアント端末は、特定のファイルの読み出しを行うための動作が開始されたとき、前記ネットワークを介して前記サーバ部から前記特定のファイルのファイル名に関連付けられたメディアの所在情報を取得し、当該所在情報に応じて異なるアイコンを表示する、データアーカイブシステムを提供する。
【００１３】
本開示の第２態様によれば、前記アイコンは、前記ファイルを格納するフォルダのアイコンに付随して表示される、第１態様に記載のデータアーカイブシステムを提供する。
【００１４】
本開示の第３態様によれば、前記所在情報が前記メディアが前記記憶装置の内部に存在することを示す情報であるときに表示されるアイコンと、前記所在情報が前記メディアが前記記憶装置の外部に存在することを示す情報であるときに表示されるアイコンとが、それぞれ異なる、第１又は２態様に記載のデータアーカイブシステムを提供する。
【００１５】
本開示の第４態様によれば、前記記憶装置は、前記メディアを格納する格納部を備え、
前記所在情報が前記メディアが前記ドライブ内に存在することを示す情報であるときに表示されるアイコンと、前記所在情報が前記メディアが前記格納部に存在することを示す情報であるときに表示されるアイコンと、前記所在情報が前記メディアが前記記憶装置の外部に存在することを示す情報であるときに表示されるアイコンとが、それぞれ異なる、第１又は２態様に記載のデータアーカイブシステムを提供する。
【００１６】
本開示の第５態様によれば、前記クライアント端末は、前記サーバ部から取得した前記所在情報に応じたアイコンと、当該所在情報に基づく読み出し所要時間に応じたアイコンとを組み合わせて表示する、第１〜４態様のいずれか１つに記載のデータアーカイブシステムを提供する。
【００１７】
本開示の第６態様によれば、前記クライアント端末は、前記所在情報が前記メディアが前記記憶装置の外部に存在することを示す情報であるときに表示されるアイコンが選択されたとき、前記メディアを前記記憶装置の内部に装填するように依頼するための問合せ画面を表示する、第１〜５態様のいずれか１つに記載のデータアーカイブシステムを提供する。
【００１８】
以下、適宜図面を参照しながら、実施形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１９】
なお、発明者らは、当業者が本開示を十分に理解するために添付図面及び以下の説明を提供するものであって、これらによって特許請求の範囲に記載の主題を限定することを意図するものではない。
【００２０】
（実施形態）
本開示の実施形態にかかるデータアーカイブシステムについて説明する。図１は、本実施形態にかかるデータアーカイブシステムの概略構成図である。
【００２１】
図１において、本実施形態にかかるデータアーカイブシステムは、閲覧端末（以下、クライアント端末という）３と、ＮＡＳ装置１２と、管理端末４と、マガジン管理棚６とを備えている。
【００２２】
クライアント端末３は、ＮＡＳ装置１２が提供する機能やデータを利用するコンピュータである。クライアント端末３とＮＡＳ装置１２と管理端末４とは、ネットワーク５を介して互いに接続されている。一方、マガジン管理棚６は、ネットワーク５に接続されていない。
【００２３】
ＮＡＳ装置１２は、記憶装置の一例であるデータユニット１と、サーバ部２とを備えている。
【００２４】
図２Ａは、データユニット１の概略構成を示す斜視図である。図２Ｂは、データユニット１が備えるマガジンと複数枚の光ディスク９（以下、メディアという）を示す斜視図である。
【００２５】
データユニット１は、マガジン８を格納する格納部の一例である２つのマガジンストッカー１０，１０を備えている。２つのマガジンストッカー１０は、互いに対向するように設けられている。なお、図２Ａにおいては、一方（手前側）のマガジンストッカー１０の図示を省略している。また、図２Ａにおいては、マガジンストッカー１０の天板及び仕切板の図示を省略している。
【００２６】
各マガジンストッカー１０には、複数のマガジン８が収納されている。本実施形態において、各マガジンストッカー１０には、４５個のマガジン８が収納されている。各マガジン８は、図２Ｂに示すように、複数のメディア９を収納するマガジントレイ８ａと、当該マガジントレイ８ａを収納するケース８ｂとを備えている。本実施形態において、マガジントレイ８ａは、メディア９として、１００ＧＢ（ギガバイト）のＢＤ−Ｒ（Blu-ray（登録商標） Disc Recordable）を１２枚収納するように構成されている。この場合、１つのマガジン８における記憶容量は、１．２ＴＢ（テラバイト）になり、データユニット１全体の記憶容量は、１０８ＴＢ（＝１．２ＴＢ×４５×２）になる。
【００２７】
また、本実施形態において、各マガジン８には、メディアＩＤなどのマガジン８内に収納された複数のメディア９に関する情報を記憶するＲＦＩＤタグ（図示せず）が付されている。以下、ＲＦＩＤタグに記憶された情報をタグ情報という。データユニット１の内部には、当該ＲＦＩＤタグに対してタグ情報の読み出し及び書き込みを行うリーダー・ライター（図示せず）が設けられている。
【００２８】
２つのマガジンストッカー１０，１０の間には、複数のマガジン８の中から選択された１つのマガジン８からマガジントレイ８ａを引き出し、当該マガジントレイ８ａを保持するピッカー１１が設けられている。ピッカー１１は、当該保持したマガジントレイ８ａを、装置後方に配置された複数のドライブ７の近傍まで搬送するように構成されている。ピッカー１１には、マガジントレイ８ａから複数のメディア９を押し出すリフター１３が一体的に設けられている。
【００２９】
ドライブ７は、メディア９に対してファイルの記録を行う装置である。また、本実施形態において、ドライブ７は、トレイを用いてメディア９をローディングするトレイ方式のドライブである。なお、ドライブ７は、メディア９に対してファイルの記録及び再生を行う装置であってもよい。複数のドライブ７は、装置高さ方向に積層され、装置後方において各マガジンストッカー１０，１０に隣接して配置されている。一方のマガジンストッカー１０に隣接して積層配置された複数のドライブ７と、他方のマガジンストッカー１０に隣接して積層配置された複数のドライブ７との間には、キャリア１４が設けられている。
【００３０】
キャリア１４は、リフター１３により押し出された複数のメディア９を積層状態で保持し、任意のドライブ７から排出されたトレイ（図示せず）の上方で、前記保持した複数のメディアから１つのメディアを分離し、当該分離したメディアを前記トレイに載置するように構成されている。
【００３１】
キャリア１４及び複数のドライブ７より更に装置後方には、電気回路及び電源１５が設けられている。電気回路及び電源１５には、ピッカー１１、ドライブ７、キャリア１４などの各装置の動作（モータ等）を制御する制御部１６が設けられている。
【００３２】
制御部１６は、サーバ部２と接続されている。サーバ部２は、図１に示すように、ネットワーク５を介してクライアント端末３及び管理端末４に接続されている。
【００３３】
サーバ部２は、データベース２ａを備えている。データベース２ａには、ドライブ７によってメディア９に記録されたファイルのファイル名と、メディア９の所在情報とが互いに関連付けて記憶されている。
【００３４】
図３は、サーバ部２のデータベース２ａに記録される情報の一例を示した図である。１エントリーは、フォルダ名、ファイル名、メディアＩＤ、及び、メディアの所在情報により構成されている。ここで、フォルダ名とは、メディアに記録されたファイルを格納するフォルダの名称をいう。メディアＩＤとは、メディアの識別番号をいう。メディアの所在情報とは、メディアがどこに存在しているかを示す情報をいう。本実施形態においては、メディアの所在情報として、データユニット１のドライブ７の内部、データユニット１のマガジンストッカー１０の内部、データユニット１の外部のマガジン管理棚６の３種類の情報が存在する。しかしながら、本開示はこれに限定されるものではなく、メディアの所在情報は、データユニット１の内部、データユニット１の外部の２種類の情報であっても、４種類以上の情報であってもよい。
【００３５】
本実施形態において、マガジンストッカー１０からマガジン８を取り出してマガジン管理棚６に収納する動作は、メディア管理者により行われる。この動作を行う際、メディア管理者は、まず、管理端末４を使用して取り出したいマガジン８を指定するとともに、マガジン８の収納先としてマガジン管理棚６を予約指定する。その後、メディア管理者によりマガジンストッカー１０からマガジン８が取り出されると、データユニット１内のリーダー・ライター（図示せず）により、当該取り出されたマガジン８に付されたＲＦＩＤタグからタグ情報を読み出すことができなくなる。このとき、データユニット１が、サーバ部２にその旨の通知を行う。サーバ部２は、データベース２ａに記憶された前記指定されたマガジン８に対応するメディアの所在情報を、前記予約指定された収納先に更新する。
【００３６】
一方、メディア管理者がマガジン管理棚６などから取り出したマガジン８をマガジンストッカー１０に装填したとき、リーダー・ライターが、当該装填されたマガジン８に付されたＲＦＩＤタグからタグ情報を読み出し、サーバ部２に送信する。サーバ部２は、マガジン８がマガジンストッカー１０の内部にあることを示す情報をメディアの所在情報とし、当該所在情報と前記タグ情報とを互いに関連付けてデータベース２ａに記録する。
【００３７】
次に、図１〜図６を用いて、クライアント端末３により特定のファイルを読み出すときの動作（以下、ファイル読み出し動作という）について説明する。図４は、ファイル読み出し動作を行う際にクライアント端末３の表示部に表示される画面の一例を示す図である。図５は、メディア装填依頼の問い合わせ画面の一例を示す図である。図６は、ファイル読み出し動作を示すフローチャートである。
【００３８】
まず、図６のステップＳ１では、クライアント端末３が、ユーザによりサーバ部２のデータベース２ａに記憶されたフォルダ（例えば、図３に示すＦｏｌｄｅｒ００）を開く操作が実施されたか否か判断する。すなわち、クライアント端末３が、特定のファイルの読み出しを行うための動作が開始されたか否かを判断する。ユーザによりフォルダを開く操作が実施されると、ステップＳ２に進む。なお、フォルダを開く操作としては、例えば、ファイル名の一覧を取得する操作などがある。
【００３９】
ステップＳ２では、クライアント端末３が、ネットワーク５を介してサーバ部２にフォルダ情報（Ｆｏｌｄｅｒ００）を送信するようにサーバ部２に要求する。
【００４０】
ステップＳ３では、サーバ部２が、データベース２ａを参照して、クライアント端末３から送信されたフォルダ情報（Ｆｏｌｄｅｒ００）に含まれるフォルダ名、ファイル名、及び、メディア９の所在情報を検索し、クライアント端末３に送信する。
【００４１】
ステップＳ４では、クライアント端末３が、サーバ部２から送信されたメディア９の所在情報に基づくアイコンを表示部に表示する。例えば、クライアント端末３は、図４に示すように、各フォルダのアイコン３ａを表示部３ｂに表示する。本実施形態においては、このフォルダのアイコン３ａに付随して、当該フォルダ内のファイルが記録されたメディア９の所在情報を示すアイコン３ｃが表示されるようにしている。
【００４２】
図４に示す例では、フォルダ情報（Ｆｏｌｄｅｒ００）を構成するフォルダは、Ｆｏｌｄｅｒ０１〜０４の４つである。各フォルダには、図３に示すように、Ｔｅｓｔ１．ｔｘｔ〜Ｔｅｓｔ４．ｔｘｔのいずれかのファイルが含まれている。
【００４３】
図４において、Ｆｏｌｄｅｒ０１，０２のアイコン３ａａ，３ａｂに付随して表示されたアイコン３ｃａ，３ｃｂ（丸印の中に×を入れたアイコン）は、Ｔｅｓｔ１．ｔｘｔ及びＴｅｓｔ２．ｔｘｔのファイルが記録されたメディア９が、データユニット１の外部のマガジン管理棚６に存在することを示している。ユーザは、このアイコン３ｃａ，３ｃｂを参照することにより、Ｔｅｓｔ１．ｔｘｔ及びＴｅｓｔ２．ｔｘｔのファイルが記録されたメディア９がマガジン管理棚６に存在することを直ぐに認識することができる。また、ユーザは、Ｔｅｓｔ１．ｔｘｔ及びＴｅｓｔ２．ｔｘｔのファイルを読み出すのに長い時間（例えば、１０分）を要することを推測することができる。
【００４４】
また、図４において、Ｆｏｌｄｅｒ０３のアイコン３ａｃに付随して表示されたアイコン３ｃｃ（何も表示しない）は、Ｔｅｓｔ４．ｔｘｔのファイルが記録されたメディア９が、データユニット１のドライブ７の内部に存在することを示している。なお、本実施形態においては、何も表示しないものをアイコン表示の一種として取り扱っているが、アイコン３ｃｃは、例えば、単なる丸形のようなアイコン表示であってもよい。ユーザは、このアイコン３ｃｃを参照することにより、Ｆｏｌｄｅｒ０３に含まれるＴｅｓｔ４．ｔｘｔのファイルが記録されたメディア９がドライブ７の内部に存在することを直ぐに認識することができる。また、ユーザは、Ｔｅｓｔ４．ｔｘｔのファイルを読み出すのに短い時間（例えば、１０秒）で良いことを推測することができる。
【００４５】
また、図４において、Ｆｏｌｄｅｒ０４のアイコン３ａｄに付随して表示されたアイコン３ｃｄ（三角形の中に！を入れたアイコン）は、Ｔｅｓｔ３．ｔｘｔのファイルが記録されたメディア９が、データユニット１のマガジンストッカー１０の内部に存在することを示している。ユーザは、このアイコン３ｃｃを参照することにより、Ｆｏｌｄｅｒ０４に含まれるＴｅｓｔ３．ｔｘｔのファイルを読み出すのにやや時間（例えば、１分）を要することを推測することができる。
【００４６】
ステップＳ５では、クライアント端末３が、ユーザにより特定のフォルダ内のファイルの読み出しの要求がされたか否かを判断する。ユーザにより特定のフォルダ内のファイルの読み出しの要求がされた場合、ステップＳ６に進む。
【００４７】
ステップＳ６では、クライアント端末３が、読み出しの要求がされた特定のファイルが記録されたメディア９とネットワーク５を介して通信できるか否か、すなわち、当該メディア９がオフラインであるか否かを判断する。前記メディア９がオフラインであるとき、ステップＳ７に進む。一方、前記メディア９がオンラインであるとき、後述するステップＳ１６に進む。例えば、Ｔｅｓｔ１．ｔｘｔ又はＴｅｓｔ２．ｔｘｔのファイルの読み出しの要求がされた場合、メディア９は、マガジン管理棚６に位置しオフラインであるので、ステップＳ７に進む。一方、Ｔｅｓｔ３．ｔｘｔ又はＴｅｓｔ４．ｔｘｔのファイルの読み出しの要求がされた場合、メディア９は、データユニット１内に位置しオンラインであるので、ステップＳ１６に進む。
【００４８】
ステップＳ７では、クライアント端末３が、前記特定のファイルが記録されたメディア９を収納するマガジン８をマガジン管理棚６から取り出してデータユニット１内に装填するようにメディア管理者に問合せるための画面（以下、メディア装填依頼の問合せ画面という）を表示部に表示する。図５は、当該メディア装填依頼の問合せ画面の一例であり、“Ｔｅｓｔ２．ｔｘｔ”のファイルが現在オフラインである旨を表示する画面を示している。
【００４９】
ステップＳ８では、クライアント端末３が、ユーザによりメディア装填依頼が実施されたか否かを判断する。メディア装填依頼が実施されない場合（例えば、図５の「Ｃａｎｃｅｌ」のボタンが押された場合）、ステップＳ９に進む。一方、メディア装填依頼が実施された場合（例えば、図５の「Ａｃｔｉｖａｔｅ ｔｈｉｓ ｍａｇａｚｉｎｅ」のボタンが押された場合）、ステップＳ１０に進む。
【００５０】
ステップＳ９では、クライアント端末３が、前記特定のファイルの読み出し要求をキャンセルする。これにより、ファイル読み出し動作が終了する。
【００５１】
ステップＳ１０では、クライアント端末３がメディア装填依頼通知をサーバ部２に送信する。
【００５２】
ステップＳ１１では、サーバ部２が、クライアント端末３から受信したメディア装填依頼通知を管理端末４に送信する。なお、メディア装填依頼通知は、電子メールやＳＭＳ（Ｓｈｏｒｔ  Ｍｅｓｓａｇｅ  Ｓｅｒｖｉｃｅ）など様々な手段を用いて行うことができる。
【００５３】
ステップＳ１２では、管理端末４が、メディア装填依頼通知を受信し、表示部に表示する。
【００５４】
ステップＳ１３では、サーバ部２が、データユニット１内のマガジン８の状態の変化を監視することにより、メディア管理者により前記特定のファイルが記録されたメディア９を収納するマガジン８がマガジン管理棚６から取り出され、マガジンストッカー１０に装填されたか否かを判断する。メディア管理者により前記マガジン８がマガジンストッカー１０に装填され、サーバ部２が当該マガジン８の装填完了を認識すると、ステップＳ１４に進む。
【００５５】
ステップＳ１４では、サーバ部２が、メディア９の装填完了通知をクライアント端末３に送信する。
【００５６】
ステップＳ１５では、クライアント端末３が、サーバ部２に対してステップＳ５にて要求された前記特定のファイルの読み出しの要求を行う。
【００５７】
ステップＳ１６では、サーバ部２が、前記特定のファイルの読み出しを実行し、当該読み出した特定のファイルのデータをクライアント端末３に送信する。
【００５８】
ステップＳ１７では、クライアント端末３が、サーバ部２から受信した特定のファイルのデータを表示部に表示する。これにより、ファイル読み出し動作が終了する。
【００５９】
本実施形態によれば、クライアント端末３がメディア９の所在情報に応じて異なるアイコン３ｃを表示するようにしているので、視認性が良く、特定のファイルが記録されたメディア９の所在をより容易に把握することができる。
【００６０】
なお、アイコン３ｃは、図４に示すように、フォルダのアイコン３ａに付随して表示するのではなく、フォルダのアイコン３ａに代えて表示するようにしてもよい。また、アイコン３ｃは、ファイルのアイコンに付随して表示するようにしてもよい。但し、この場合、ファイルのアイコンは多種多様であるので、アイコン３ｃが付随して表示されることにより、ファイルのアイコン及びアイコン３ｃの視認性が低下するおそれがある。これに対して、本実施形態のように、ファイルを格納するフォルダのアイコン３ａに付随してアイコン３ｃを表示した場合、フォルダのアイコン３ａは通常画一的であるので、フォルダのアイコンの視認性が低下しても特に問題は生じない。一方、画一的なフォルダのアイコン３ａにアイコン３ｃを付随して表示することで、アイコン３ｃの視認性を向上させることができる。
【００６１】
なお、クライアント端末３は、サーバ部２から取得したメディアの所在情報に応じたアイコンと、当該所在情報に基づく読み出し所要時間に応じたアイコンとを組み合わせて表示することが好ましい。例えば、図７に示す例において、サーバ部２から取得したメディアの所在情報に応じたアイコン３ｄ，３ｅは形状の違いにより表され、読み出し所要時間に応じたアイコン３ｆ，３ｇ，３ｈは色の違いにより表されている。
【００６２】
より具体的には、図７に示す例において、四角形のアイコン３ｄは、メディア９がデータユニット１のドライブ７の内部に位置することを示している。また、丸形のアイコン３ｅは、メディア９がドライブ７の内部に位置しないことを示している。これにより、ユーザは、アイコン３ｄ，３ｅの形状を見ることにより、フォルダ内のファイルが記録されたメディア９の所在を容易に把握することができる。
【００６３】
また、図７に示す例において、アイコン３ｆは、例えば、青色のアイコンであり、読み出し所要時間が１０秒であることを示している。アイコン３ｇは、例えば、橙色のアイコンであり、読み出し所要時間が１分であることを示している。アイコン３ｈは、例えば、黒色のアイコンであり、読み出し所要時間が１０分であることを示している。これにより、ユーザは、アイコン３ｆ，３ｇ，３ｈの色を見ることにより、フォルダ内のファイルを読み出すまでに要する時間を容易に把握することができる。
【００６４】
すなわち、図７に示す例においては、サーバ部２から取得したメディアの所在情報に応じたアイコン３ｄ，３ｅと、読み出し所要時間に応じたアイコン３ｆ，３ｇ，３ｈとを組み合わせて表示しているので、ユーザは、アイコンの形状及び色を見ることにより、フォルダ内のファイルが記録されたメディアの所在と、フォルダ内のファイルを読み出すまでに要する時間とを容易に且つ同時に把握することができる。
【００６５】
なお、前記では、メディア９が光ディスクであるとして説明したが、本開示はこれに限定されない。例えば、メディア９は、光テープであってもよい。
【００６６】
また、前記では、データベース２ａには、ドライブ７によってメディア（光ディスク）９に記録されたファイルのファイル名と、メディア（光ディスク）９の所在情報とが互いに関連付けて記憶されているとしたが、本開示はこれに限定されない。前記実施形態にかかるデータアーカイブシステムにおいては、マガジン８内の全ての光ディスクが同時にドライブ７の内部にロードされるので、マガジン８を１つのメディアと捉えて、マガジン８がドライブ７内にロードされていると解釈することもできる。このため、マガジン８の所在情報をメディアの所在情報として、前記ファイル名と関連付けてデータベース２ａに記憶させてもよい。すなわち、光ディスク単位ではなく、マガジン単位で所在情報を扱うようにしてもよい。
【００６７】
また、前記では、マガジン８内に収納されるメディア９の枚数を１２枚としたが、当該枚数は、特に限定されるものではなく、１２枚未満であっても、１２枚より多くてもよい。
【００６８】
以上のように、本開示における技術の例示として、実施形態を説明した。そのために、添付図面及び詳細な説明を提供した。したがって、添付図面及び詳細な説明に記載された構成要素の中には、課題解決のために必須な構成要素だけでなく、前記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００６９】
また、前述の実施形態は、本開示における技術を例示するためのものであるから、特許請求の範囲又はその均等の範囲において種々の変更、置き換え、付加、省略などを行うことができる。
【００７０】
２０１２年１２月２６日に出願された日本国特許出願Ｎｏ．２０１２−２８２１７３号の明細書、図面、および特許請求の範囲の開示内容は、全体として参照されて本明細書の中に取り入れられるものである。
【産業上の利用可能性】
【００７１】
本開示にかかるデータアーカイブシステムは、特定のファイルが記録されたメディアの所在をより容易に把握することができるので、特に、大量のファイルを取り扱うデータアーカイブシステムに有用である。
【符号の説明】
【００７２】
１    データユニット
２    サーバ部
２ａ  データベース
３    閲覧端末（クライアント端末）
３ａ  フォルダのアイコン
３ｂ  表示部
４    管理端末
６    マガジン管理棚
７    ドライブ
８    マガジン
８ａ  マガジントレイ
８ｂ  ケース
９    メディア
１０    マガジンストッカー
１１    ピッカー
１２    ＮＡＳ装置
１３    キャリア
１４    リフター
１５    電気回路及び電源
１６    制御部
【図２Ａ】
2014142921.tif 000003
【図２Ｂ】
2014142921.tif 000004
【図３】
2014142921.tif 000005
【図４】
2014142921.tif 000006
【図５】
2014142921.tif 000007
【図６】
2014142921.tif 000008
【図７】
2014142921.tif 000009
【図１】
2014142921.tif 000010